(57)【要約】      （修正有）【課題】入賞口を開閉する開閉扉の内側面に工夫を施すことにより、開閉扉を介して入賞口を開放した際に開閉扉の内側面に受け取られた遊技球が入賞口に入賞する場合と入賞しない場合とを出現させ、遊技球を入賞口へ入賞させる遊技を楽しんで行うことが可能なパチンコ機を提供する。【解決手段】大入賞口の開閉を行う開閉扉１２の内側面２４に、開閉扉１２が大入賞口を開放するように回動された際に内側面２４に受け取られた遊技球を大入賞口に誘導する大入賞口誘導部２５と、内側面２４に受け取られた遊技球を遊技領域に再度誘導する遊技領域誘導部２６とを形成し、開閉扉１２の大入賞口誘導部２５に受け取られた遊技球を大入賞口に誘導する一方、遊技領域誘導部２６に受け取られた遊技球を再度遊技領域に誘導するように構成する。【選択図】図６
2011160912.tif 000002
【特許請求の範囲】
【請求項１】
遊機盤に形成された遊技領域と、
前記遊技領域に設けられた入賞装置と、
前記入賞装置に設けられる入賞口を覆うものであって、入賞口の下端を回転軸として前後方向へ回動し、入賞口を開閉する開閉扉とを備え、
前記開閉扉の内側面には、開閉扉が前記入賞口を開放するように回動された際に前記内側面にて受け取った遊技球を前記入賞口の内部に誘導する入賞口誘導部と、内側面にて受け取った遊技球を前記遊技領域に再度誘導する遊技領域誘導部とが形成されていることを特徴とするパチンコ機。
【請求項２】
前記入賞口の上方近傍位置に設けられ、前記遊技領域を下方に転動する遊技球を前記入賞口へ向かって誘導するとともに遊技球の入賞口への入賞を調整可能な調整部材を備え、
前記開閉扉が前記入賞口を開放するように回動された際に、前記調整部材を通過する遊技球は前記入賞口誘導部上に落下し、調整部材を通過しない遊技球は前記遊技領域誘導部上に落下することを特徴とする請求項１に記載のパチンコ機。
【発明の詳細な説明】
【技術分野】
【０００１】
本発明は、入賞口を有するパチンコ機に関し、特に、入賞口を開閉する開閉扉の内側面に工夫を施すことにより、開閉扉を介して入賞口を開放した際に開閉扉の内側面に乗った遊技球が入賞口に入賞する場合と入賞しない場合とを出現させ、遊技球を入賞口へ入賞させる遊技を楽しんで行うことが可能なパチンコ機に関するものである。
【背景技術】
【０００２】
従来、遊技盤の遊技領域に、所謂大入賞口を有するパチンコ機では、大入賞口を開閉する開閉扉が開放された際に開閉扉の内側面に乗った遊技球は大入賞口へ誘導されるように構成されているのが一般的である。
【０００３】
例えば、特開２００２−３３６５２４号公報には、遊技領域に配設された大入賞口を開閉する開閉扉の内側面に、大入賞口に向かって遊技球を誘導する誘導部を形成し、大入賞口を開放する際に水平状態まで開放された開閉扉の内側面に乗った遊技球を誘導部により大入賞口に誘導するように構成されたパチンコ機が記載されている。
【０００４】
また、従来のパチンコ機では、大入賞口の上部の全体に渡って設けられる調整釘を介して遊技球の誘導路を形成し、かかる誘導路を通過した遊技球を大入賞口の開閉扉の内側面上に誘導するととともに、誘導路を通過しない遊技球は開閉扉の外側に落下させるように構成されている。
【先行技術文献】
【特許文献】
【０００５】
【特許文献１】特開２００２−３３６５２４号公報
【発明の概要】
【発明が解決しようとする課題】
【０００６】
しかしながら、前記特許文献１に記載されたパチンコ機では、大入賞口を開放する際に水平状態まで開放された開閉扉の内側面上に乗った遊技球は、ほぼ確実に大入賞口に入賞することとなり、この結果、パチンコ機における遊技で最も面白い大入賞口に遊技球を入賞させる遊技は極めて単調なものとなって遊技者に飽きられてしまう。
【０００７】
本発明は、前記従来における問題点を解消するためになされたものであり、入賞口を開閉する開閉扉の内側面に工夫を施すことにより、開閉扉を介して入賞口を開放した際に開閉扉の内側面にて受け取った遊技球が入賞口に入賞する場合と入賞しない場合とを出現させ、遊技球を入賞口へ入賞させる遊技を楽しんで行うことが可能なパチンコ機を提供することを目的とする。
【課題を解決するための手段】
【０００８】
前記目的を達成するため請求項１に係るパチンコ機は、遊機盤に形成された遊技領域と、前記遊技領域に設けられた入賞装置と、前記入賞装置に設けられる入賞口を覆うものであって、入賞口の下端を回転軸として前後方向へ回動し、入賞口を開閉する開閉扉とを備え、前記開閉扉の内側面には、開閉扉が前記入賞口を開放するように回動された際に前記内側面にて受け取った遊技球を前記入賞口の内部に誘導する入賞口誘導部と、内側面にて受け取った遊技球を前記遊技領域に再度誘導する遊技領域誘導部とが形成されていることを特徴とする。
【０００９】
請求項１のパチンコ機では、開閉扉の内側面に、開閉扉が入賞口を開放するように回動された際に内側面にて受け取った遊技球を入賞口に誘導する入賞口誘導部と、内側面にて受け取った遊技球を遊技領域に再度誘導する遊技領域誘導部とが形成されているので、遊技球が開閉扉の内側面にて受け取られただけでは入賞口に入賞するかどうかは分からず、開閉扉の入賞口誘導部にて受け取った遊技球は入賞口に誘導され、一方、遊技領域誘導部にて受け取った遊技球は再度遊技領域に誘導される。これにより、入賞口の開放時に遊技球が開閉扉のどの部分に乗るかによって入賞口に誘導される場合と遊技領域に再度誘導される場合とが出現することとなり、遊技者は、パチンコ機で最も面白い入賞口に遊技球を入賞させる遊技を楽しんで行うことができる。
【００１０】
請求項２に係るパチンコ機は、請求項１のパチンコ機において、前記入賞口の上方近傍位置に設けられ、前記遊技領域を下方に転動する遊技球を前記入賞口へ向かって誘導するとともに遊技球の入賞口への入賞を調整可能な調整部材を備え、前記開閉扉が前記入賞口を開放するように回動された際に、前記調整部材を通過する遊技球は前記入賞口誘導部上に落下し、調整部材を通過しない遊技球は前記遊技領域誘導部上に落下することを特徴とする。
【００１１】
請求項２のパチンコ機では、開閉扉が入賞口を開放するように回動された際に、調整部材を通過する遊技球は入賞口誘導部上に落下し、調整部材を通過しない遊技球は遊技領域誘導部上に落下するので、調整部材を調整するだけで入賞口への遊技球の入賞を調整することができる。
【図面の簡単な説明】
【００１２】
【図１】本実施形態に係るパチンコ機の遊技盤の正面図である。
【図２】開閉扉を開放した大入賞装置の正面図である。
【図３】大入賞装置のＡ−Ａ線断面図である。
【図４】大入賞装置のＢ−Ｂ戦断面図である。
【図５】大入賞装置の正面図における左側面図である。
【図６】開閉扉の平面図である。
【図７】大入賞装置の別例を示す斜視図である。
【図８】図７の大入賞装置に使用される開閉扉の斜視図である。
【図９】図７の大入賞装置に使用可能な開閉扉の別例を示す斜視図である。
【図１０】図７の大入賞装置に使用可能な開閉扉の別例を示す斜視図である。
【発明を実施するための形態】
【００１３】
以下、本発明に係るパチンコ機について、本発明を具体化した実施形態に基づき図面を参照しつつ説明する。
先ず、本実施形態に係るパチンコ機に取り付けられる遊技盤の概略構成について図１に基づき説明する。
【００１４】
図１において、遊技盤１はベニヤ板等の板状部材で形成される。かかる遊技盤１には、その外周端部付近に、円弧状の外レール２、逆流防止弁３及び内レール４が取り付けられている。これらの外レール２、逆流防止弁３及び内レール４によって囲まれた円形状の領域が遊技領域５となる。そして、遊技領域５内には、釘や後述の各種役物が配置されている。そして、逆流防止弁３で仕切られた放出口６から飛び出したパチンコ球は、自重落下をするとともに釘や各種役物と接触して遊技領域５内を転動する。
【００１５】
また、遊技領域５には、遊技領域５の中心部を基準として、通過ゲート（スルー・チャッカー）７、第１特別図柄始動口（スタート・チャッカー）８、第１特別図柄始動口８の下方位置に第２特別図柄始動口９等が配設されている。この第２特別図柄始動口９の下方には、遊技領域５の下端部付近に位置する大入賞口１０が配置されている。
【００１６】
第１特別図柄始動口８には、パチンコ球の入賞を検出する始動口スイッチ（図示せず）が設けられ、パチンコ球の入賞を検出することで後述の画像表示装置１１において識別図柄の変動が開始される。また、第１特別図柄始動口８にパチンコ球が入賞した時点で、大当り遊技を付与するか否かに関する大当り抽選が実施される。
【００１７】
尚、大当り抽選は、所定の時間間隔につき一定の単位値だけ更新する更新処理が所定の値の範囲内で行われる大当りカウンタを用いて行われる。そして、主制御基板はパチンコ球が第１特別図柄始動口８に入球することに基づいて大当りカウンタの更新結果を検出し、大当りカウンタの検出結果に基づいて大当り遊技を付与するか否かを判定する。
【００１８】
また、大入賞口１０には、遊技盤１に対して垂直方向に開閉動作を行う開閉扉１２が設けられており、当該開閉扉１２が開放又は閉塞することによって大入賞口１０が開口又は閉塞するように構成されている。大当り遊技が付与されることに基づき開閉扉１２が開放される時には、開閉扉１２上に落下した遊技球が開閉扉１２に案内されて大入賞口１０へ入賞する。
【００１９】
通過ゲート７をパチンコ球が通過すると、画像表示装置１１における普通図柄表示部１１Ａにて普通図柄の変動表示が行われ、所定の普通図柄の組み合わせが表示されると、第２特別図柄始動口９の羽根が開放され、第２特別図柄始動口９へとパチンコ球が高い確率で入賞する。また、第２特別図柄始動口９には、パチンコ球の入賞を検出する始動口スイッチ（図示せず）が設けられ、パチンコ球の入賞を検出することで後述の画像表示装置１１において識別図柄の変動が開始される。また、第２特別図柄始動口９にパチンコ球が入賞した時点で、大当り遊技を付与するか否かに関する大当り抽選が実施される。尚、大当り抽選では、上述した大当たりカウンタが用いられる。
【００２０】
また、遊技領域５には、風車１３や、遊技領域５内を自重落下するパチンコ球を所定の経路に誘導する多数の遊技釘１４が設けられている。これらの風車１３及び遊技釘１４は、形状（具体的には曲率や遊技盤に対する角度）が調整可能に配置され、パチンコ球と接触することによりパチンコ球の転動方向を変化させる。
【００２１】
そして、パチンコ球は、風車１３や遊技釘１４等により第１特別図柄始動口８や第２特別図柄始動口９の近傍に案内される。なお、遊技盤１の中央下方には、遊技盤１の裏面側通路と前面側通路とにパチンコ球の通路が設けられたステージを設けてもよい。ステージ上に案内されたパチンコ球は、第１特別図柄始動口８に入賞しやすくなる。
【００２２】
更に、遊技盤１の最下位置には、外れ球を遊技盤１の裏側へ排出するアウト口１５が設けられている。
【００２３】
また、遊技盤１の中央部には、後述の画像表示装置１１の周囲を囲うように飾り部材１６が設置されている。また、飾り部材１６の内側の底面にはパチンコ球を転動させるステージ１７が形成されている。
【００２４】
また、画像表示装置１１は例えばＬＣＤからなり、遊技盤１の中央に開設された開口部に配設されている。そして、画像表示装置１１には、遊技の進行に従ってキャラクタの画像や識別図柄、普通図柄等を表示し、パチンコ機の内部抽選の抽選結果（例えば、大当りやリーチはずれ等）を遊技者に対して報知する。更に、所定時間以上入賞口やアウト口１５にパチンコ球が入賞しない場合には、デモ画面を表示させる。
【００２５】
次に、大入賞口１０に対する遊技釘１４の作用について説明する。遊技釘１４は、図１に示すように、大入賞口１０の左側上方においてパチンコ球を大入賞口１０に向かって誘導し、また、大入賞口１０の左上に配置された一対の調整釘２０Ａ、２０Ｂにより誘導路２０が形成される。かかる調整釘２０Ａ、２０Ｂにより形成される誘導路２０に従ってパチンコ球が誘導されると、後述するように、パチンコ球は、大入賞口１０を開放するように回動された開閉扉１２の内側面における右側に落下することとなる。これに対して、パチンコ球が誘導路２０を通過しない場合には、矢印２１で示すように、開閉扉１２の内側面における左側に落下することとなる。
【００２６】
ここで、大入賞口１０を構成する大入賞装置２２について、図２乃至図６に基づき説明する。
大入賞装置２２は装置本体２３を備えており、装置本体２３の前面側（正面側）には大入賞口１０が開口されている。大入賞口１０の下縁部には閉扉１２が回動可能に軸支されている。かかる開閉扉１２は、大当り遊技が付与されることに基づき、ソレノイドを備える扉開閉機構（図示せず）を介して、その下端部の軸支部を支点として前後に回動される。
【００２７】
開閉扉１２は、図２乃至図４に示すように、大入賞口１０を開放する際には、その内側面２４を上方に向けて回動され、また、大入賞口１０を閉塞する際には内側面２４を大入賞口１０に向けて回動される。
【００２８】
開閉扉１２の内側面２４の構成について説明すると、開閉扉１２の内側面２４は、大別して、大入賞口誘導部２５（図６における右側部）と遊技領域誘導部２６（図６における左側部）とから構成されている。大入賞口誘導部２５は、図４に示すように、開閉扉１２が大入賞口１０を開放するように回動された際に、大入賞口１０に向かって下方に傾斜する第１傾斜面２７を有しており、かかる第１傾斜面２７を介して大入賞口誘導部２５にて受取れられたパチンコ球は大入賞口１０の内部に向かって誘導される。尚、大入賞口１０の内部に誘導されたパチンコ球は、大入賞口１０の内部に設けられた入賞口２８から矢印２９に示す経路を沿って下方に案内されていく。
【００２９】
また、開閉扉１２の内側面２４に形成された遊技領域誘導部２６には、図３、図５に示すように、開閉扉１２が大入賞口１０を開放するように回動された際に、開閉扉１２の後端部３０から前端部３１（図６参照）に向かって下方に傾斜する第２傾斜面３２Ａ及び第２傾斜面３２Ａに連続し前端部３１に向かって上方に傾斜する第３傾斜面３２Ｂが形成されている。これら２つの第２傾斜面３２Ａと第３傾斜面３２Ｂとの境界はＶ字溝３２Ｃに構成されている。かかるＶ字溝３２Ｃは、図６に示すように、遊技領域誘導部２６にて、前端部３１に向かって斜行するように形成されており、また、図６にて左側にいくに従って下方に傾斜されている。
これより、開閉扉１２が大入賞口１０を開放するように回動された際に、遊技領域誘導部２６にて受け取られたパチンコ球は、第２傾斜面３２Ａ又は第３傾斜面３２Ｂを介してＶ字溝３２Ｃに案内され、また、Ｖ字溝３２Ｃが遊技領域誘導部２６の左側端部にいくに従って下方に傾斜されといることに基づき、Ｖ字溝３２Ｃに沿って下方に案内された後遊技領域誘導部２６の左側端部から再度遊技領域５に誘導される。
【００３０】
開閉扉１２の遊技領域誘導部２６には、図６に示すように、横Ｌ字状のストッパ壁３３が形成されており、遊技領域誘導部２６上で受け取られたパチンコ球は、第２傾斜面３２Ａを大入賞口１０に向かって移動しようとしても、ストッパ壁３３に衝突してはね返され、この後第２傾斜面３２Ａの傾斜方向又は第３傾斜面３２ＢからＶ字溝３２Ｃに案内されるとともに、Ｖ字溝３２Ｃに沿って下方に案内された後遊技領域誘導部２６の左側端部から再度遊技領域５に誘導される。
【００３１】
ここに、大当り遊技が付与されて開閉扉１２が開放された状態で、遊技領域５に打ち込まれたパチンコ球の内、遊技釘１４及び調整釘２０Ａ、２０Ｂにより形成される誘導路２０に沿って誘導されるパチンコ球は、開閉扉１２の内側面２４における右側に落下することとなる。
【００３２】
このようにパチンコ球が内側面２４の右側に落下すると、パチンコ球は大入賞口誘導部２５上に落下して受け取られることとなる。大入賞口誘導部２５に受け取られたパチンコ球は第１傾斜面２７を介して大入賞口１０の内部に向かって誘導される。
【００３３】
一方、大当りに入賞して開閉扉１２が開放された状態で、遊技領域５に打ち込まれたパチンコ球の内、誘導路２０から外れて矢印２１で示すように誘導されるパチンコ球は、開閉扉１２の内側面における左側に落下することとなる。
【００３４】
このようにパチンコ球が内側面２４の左側に落下すると、パチンコ球は遊技領域誘導部２６上に落下して受け取られることとなる。遊技領域誘導部２６に受け取られたパチンコ球は、前記したように、第２傾斜面３２Ａ又は第３傾斜面３２Ｂを介してＶ字溝３２Ｃに案内され、また、Ｖ字溝３２Ｃに沿って下方に案内された後遊技領域誘導部２６の左側端部から再度遊技領域５に誘導される。
【００３５】
以上説明した通り本実施形態に係るパチンコ機では、開閉扉１２の内側面２４に、開閉扉１２が大入賞口１０を開放するように回動された際に内側面２４に受け取られたパチンコ球を大入賞口１０に誘導する大入賞口誘導部２５と、内側面２４に受け取られたパチンコ球を遊技領域５に再度誘導する遊技領域誘導部２６とが形成されているので、開閉扉１２の大入賞口誘導部２５に受け取られたパチンコ球は大入賞口１０に誘導され、一方、遊技領域誘導部２６に受け取られたパチンコ球は再度遊技領域５に誘導される。これにより、大入賞口１０の開放時にパチンコ球が開閉扉１２のどの部分に乗るかによって大入賞口１０に誘導される場合と遊技領域５に再度誘導される場合とが出現することとなり、遊技者は、パチンコ機で最も面白い大入賞口１０にパチンコ球を入賞させる遊技を楽しんで行うことができる。
【００３６】
また、開閉扉１２が大入賞口１０を開放するように回動された際に、調整釘２０Ａ、２０Ｂにより形成される誘導路２０を通過するパチンコ球は大入賞口誘導部２５上に落下し、誘導路２０を通過しないパチンコ球は遊技領域誘導部２６上に落下するので、パチンコ球は、大入賞口１０に入賞するかどうかに拘わらず開閉扉１２の内側面２４に落下することとなる。従って、大入賞口１０の開放時にパチンコ球が開閉扉１２のどの部分に受け取られるかによって大入賞口１０に誘導される場合と遊技領域５に再度誘導される場合とが出現することとなり、遊技者は、パチンコ機で最も面白い大入賞口１０にパチンコ球を入賞させる遊技を楽しんで行うことができる。
また、遊技盤１の遊技領域５に設けられる各種の役物が大型化する現今において、従来のパチンコ機のように、大入賞口１０の上部の周囲の全体に渡って遊技釘１４を設けることなく、調整釘２０Ａ、２０Ｂを大入賞口１０の上部の周囲の一部に設ければよく、調整釘２０Ａ、２０Ｂの簡単な調整を行うだけで遊技球を開閉扉１２の内側面２４に誘導することができる。
【００３７】
更に、大入賞口誘導部２５に、開閉扉１２が大入賞口１０を開放するように回動された際に開閉扉１２の前端部３１から大入賞口１０へ向かって下方に傾斜する第１傾斜面２７が形成されているので、大入賞口誘導部２５に受け取られたパチンコ球は、ほぼ確実に大入賞口１０の内部に誘導されて入賞させることができる。
【００３８】
また、遊技領域誘導部２６に、開閉扉１２が大入賞口１０を開放するように回動された際に開閉扉１２の後端部３０から前端部３１に向かって下方に傾斜する第２傾斜面３２Ａ、第３傾斜面３２Ｂ及びＶ字溝３２Ｃが形成されているので、遊技領域誘導部２６に受け取られたパチンコ球は、第２傾斜面３２Ａ、第３傾斜面３２Ｂ及びＶ字溝３２Ｃによる作用を介して、ほぼ確実に再度遊技領域５に誘導することができる。
【００３９】
尚、本発明は、前記実施形態に限定されるものではなく、本発明の要旨を逸脱しない範囲内で種々の改良、変形が可能であることは勿論である。
例えば、大入賞装置２２の装置本体２３に形成された大入賞口１０の開閉を行う開閉扉は、図７、図８に示すように形成されても良い。
【００４０】
具体的に、開閉扉４０の内側面４１にて右側に形成される大入賞口誘導部４２は、図７、図８に示すように、開閉扉４０が大入賞口１０を開放するように回動された際に、大入賞口１０に向かって下方に傾斜する第１傾斜面４３を有しており、かかる第１傾斜面４３を介して大入賞口誘導部４２に受け取られたパチンコ球は大入賞口１０の内部に向かって誘導される。かかる構成は、前記実施形態のパチンコ機における開閉扉１２の大入賞口誘導部２５の構成と同様である。
一方、開閉扉４０の内側面４１に形成された遊技領域誘導部４４は、開閉扉４０が大入賞口１０を開放するように回動された際に、開閉扉４０の後端部４５から前端部４６に向かって下方に傾斜する第２傾斜面４７Ａ及び第２傾斜面３２Ａに連続し前端部４６に向かって上方に傾斜する第３傾斜面４７Ｂが形成されている。これら２つの第２傾斜面４７Ａと第３傾斜面４７Ｂとの境界はＶ字溝４７Ｃに構成されている。かかるＶ字溝４７Ｃは、図７、図８にて左側にいくに従って下方に傾斜されている。
これより、開閉扉４０が大入賞口１０を開放するように回動された際に、遊技領域誘導部４４にて受け取られたパチンコ球は、第２傾斜面４７Ａ又は第３傾斜面４７Ｂを介してＶ字溝４７Ｃに案内され、また、Ｖ字溝４７Ｃが遊技領域誘導部４４の左側端部にいくに従って下方に傾斜されといることに基づき、Ｖ字溝４７Ｃに沿って下方に案内された後遊技領域誘導部４４の左側端部から再度遊技領域５に誘導される。
尚、大入賞口１０において、遊技領域誘導部４４の奥には、矢印で示す前後方向に可動に構成された可動壁部材７０が配置されている。かかる可動壁７０は、例えば、開閉扉４０を介して大入賞口１０が開放された時には、パチンコ球が可動壁部材７０によって遊技領域誘導部４４に設けられる第２傾斜面４７Ａの傾斜を乗り越えて大入賞口１０側へ転動しないようにするものである。また、開閉扉４０を介して大入賞口１０が閉じられる時には、可動壁部材７０は矢印方向に移動し、遊技領域誘導部４４にパチンコ球が受け取られた状態で開閉扉４０が閉じられる場合に、可動壁部材７０が矢印方向に移動することに基づき大入賞口１０内にパチンコ球が入球できるようにすることで球噛みをしないように構成されている。
ここに、前記実施形態に係るパチンコ機の開閉扉１２における遊技領域誘導部２６では、横Ｌ字状のストッパ壁３３が設けられていたが、図７及び図８に示す開閉扉４０の遊技領域誘導部４４では横Ｌ字状のストッパ壁が設けられていない点で、前記実施形態における開閉扉１２の遊技領域誘導部２６とは異なる。
【００４１】
また、開閉扉は、図９に示すような構成を有していても良い。具体的には、開閉扉５０の内側面５１にて右側に形成される大入賞口誘導部５２は、図９に示すように、開閉扉５０が大入賞口１０を開放するように回動された際に、大入賞口１０に向かって下方に傾斜する第１傾斜面５３を有しており、かかる第１傾斜面５３を介して大入賞口誘導部５２に受け取られたパチンコ球は大入賞口１０の内部に向かって誘導される。かかる構成は、前記実施形態のパチンコ機における開閉扉１２の大入賞口誘導部２５の構成と同様である。
一方、開閉扉５０の内側面５１に形成された遊技領域誘導部５４は、開閉扉５０が大入賞口１０を開放するように回動された際に、開閉扉５０の後端部５５から前端部５６に向かって下方に傾斜する第２傾斜面５７Ａ及び第２傾斜面５７Ａに連続し前端部５６に向かって上方に傾斜する第３傾斜面５７Ｂが形成されている。これら２つの第２傾斜面５７Ａと第３傾斜面５７Ｂとの境界はＶ字溝５７Ｃに構成されている。かかるＶ字溝５７Ｃは、図９にて左側にいくに従って下方に傾斜されている。
これより、開閉扉５０が大入賞口１０を開放するように回動された際に、遊技領域誘導部５４にて受け取られたパチンコ球は、第２傾斜面５７Ａ又は第３傾斜面５７Ｂを介してＶ字溝５７Ｃに案内され、また、Ｖ字溝５７Ｃが遊技領域誘導部５４の左側端部にいくに従って下方に傾斜されといることに基づき、Ｖ字溝５７Ｃに沿って下方に案内された後遊技領域誘導部５４の左側端部から再度遊技領域５に誘導される。
そして、大入賞口誘導部５２と遊技領域誘導部５４との間には、両部を区画する区画壁５８が形成されている。かかる区画壁５８は、パチンコ球が大入賞口誘導部５２に落ちた場合にパチンコ球が遊技領域誘導部５４に転動することを防止するものであり、これより大入賞口誘導部５２に落ちたパチンコ球を確実に大入賞口１０の内部に誘導することができ、一方、遊技領域誘導部５４に落ちたパチンコ球を確実に遊技領域５に誘導することができる。
ここに、前記実施形態に係るパチンコ機の開閉扉１２における遊技領域誘導部２６では、横Ｌ字状のストッパ壁３３が設けられていたが、図９に示す開閉扉５０では、遊技領域誘導部４４では横Ｌ字状のストッパ壁が設けられておらず、大入賞口誘導部５２と遊技領域誘導部５４との間に区画壁５８が形成されている点で、前記実施形態における開閉扉１２とは異なる。
【００４２】
更に、開閉扉は、図１０に示すような構成を有していても良い。具体的には、開閉扉６０の内側面６１にて右側に形成される大入賞口誘導部６２は、図１０に示すように、開閉扉６０が大入賞口１０を開放するように回動された際に、大入賞口１０に向かって下方に傾斜する第１傾斜面６３を有しており、かかる第１傾斜面６３を介して大入賞口誘導部６２に受け取られたパチンコ球は大入賞口１０の内部に向かって誘導される。かかる構成は、前記実施形態のパチンコ機における開閉扉１２の大入賞口誘導部２５の構成と同様である。
一方、開閉扉６０の内側面６１に形成された遊技領域誘導部６４は、開閉扉６０が大入賞口１０を開放するように回動された際に、開閉扉６０の後端部６５から前端部６６に向かって下方に傾斜する第２傾斜面６７Ａ及び第２傾斜面６７Ａに連続し前端部６６に向かって上方に傾斜する第３傾斜面６７Ｂが形成されている。これら２つの第２傾斜面６７Ａと第３傾斜面６７Ｂとの境界はＶ字溝６７Ｃに構成されている。かかるＶ字溝６７Ｃは、図１０にて左側にいくに従って下方に傾斜されている。
これより、開閉扉６０が大入賞口１０を開放するように回動された際に、遊技領域誘導部６４にて受け取られたパチンコ球は、第２傾斜面６７Ａ又は第３傾斜面６７Ｂを介してＶ字溝６７Ｃに案内され、また、Ｖ字溝６７Ｃが遊技領域誘導部６４の左側端部にいくに従って下方に傾斜されといることに基づき、Ｖ字溝６７Ｃに沿って下方に案内された後遊技領域誘導部６４の左側端部から再度遊技領域５に誘導される。
そして、遊技領域誘導部６４において開閉扉６０の後端部６５には、後端部６５に沿ってストッパ壁６８が形成されている。かかるストッパ壁６８は、遊技領域誘導部６４に落ちて後端部６５に転動しようとするパチンコ球に衝突して前端部６６の方向にはね返す作用を行うものであり、従って、遊技領域誘導部６４に落ちたパチンコ球は、大入賞口１０の方向に向かって転動した場合においても、ストッパ壁６８を介してはね返されて確実に第２傾斜面６７、第３傾斜面６７Ｂ及びＶ字溝６７Ｃを介して遊技領域５に誘導することができる。
ここに、前記実施形態に係るパチンコ機の開閉扉１２における遊技領域誘導部２６では、横Ｌ字状のストッパ壁３３が設けられていたが、図１０に示す開閉扉６０では、遊技領域誘導部４４に設けられたストッパ壁６８は横Ｌ字状ではなく、後端部６５に沿って形成されているだけである点で、前記実施形態における開閉扉１２とは異なる。
【符号の説明】
【００４３】
１      遊技盤
５      遊技領域
１０      大入賞口
１２      開閉扉
１４      遊技釘
２０      誘導路
２４      内側面
２５      大入賞口誘導部
２６      遊技領域誘導部
２７      第１傾斜面
３２      第２傾斜面
【図１】
2011160912.tif 000003
【図２】
2011160912.tif 000004
【図３】
2011160912.tif 000005
【図４】
2011160912.tif 000006
【図５】
2011160912.tif 000007
【図６】
2011160912.tif 000008
【図７】
2011160912.tif 000009
【図８】
2011160912.tif 000010
【図９】
2011160912.tif 000011
【図１０】
2011160912.tif 000012